(57)【特許請求の範囲】
【請求項１】
複数個の機器が連結されているホームネットワークとインターネットを通じて連結し、前記ホームネットワーク内の特定機器にサービスを提供するシステムにおいて、
サービスが提供されるために登録されたホームネットワークのアドレス情報とそのホームネットワーク内の同じサービスを提供されるための同一機種の機器のサービス対象機器等に共通で使用する付加識別情報を保存している第1データベースを具備し、
サービスを提供する前に前記サービス対象機器等の受信可能状態を確認するために前記サービス対象機器が属するホームネットワークのアドレス情報と同じサービスを提供されるための同一機種の機器のサービス対象機器等に共通で使用する付加識別情報を含み、前記同一機種の機器のサービス対象機器等のプライベートＩＰアドレスは含まない通知メッセージを伝送し、
前記サービス対象機器がサービスを受信できるという応答信号が受信された場合サービスを提供することを特徴とするホームネットワーク内の機器にサービスを提供するシステム。
【請求項２】
前記付加識別情報は、少なくともサービス対象機器の類型、プロパティ、使用者名前、ベンダー、モデル名のいずれか一つ以上を含むことを特徴とする請求項１に記載のホームネットワーク内の機器にサービスを提供するシステム。
【請求項３】
前記サービスは、一定周期ごとに反復してサービス対象機器に特定サービスを提供するプッシュサービスであることを特徴とする請求項１に記載のホームネットワーク内の機器にサービスを提供するシステム。
【請求項４】
複数個の機器が連結されているホームネットワークの機器を管理し、前記ホームネットワークの外部にあるサービス提供サーバーからサービスが提供されるシステムにおいて、
前記ホームネットワーク内の機器の中から前記サービス提供サーバーに登録されている付加識別情報に対応する機器等のＩＤとプライベートＩＰアドレスを保存した第２データベースを具備し、
前記サービス提供サーバーからサービス対象機器等の受信可能状態を確認するためにそのホームネットワーク内の同じサービスを提供されるための同一機種の機器のサービス対象機器等に共通で使用する付加識別情報を含み、前記同一機種のサービス対象機器等のプライベートＩＰアドレスは含まない通知メッセージを受信すれば、前記通知メッセージに含まれている付加識別情報に該当する機器があるかを判断して、該当する機器があれば、前記機器等のＩＤをＩＰアドレスに変換して通知メッセージを伝送することを特徴とするホームネットワークでサービスを提供されるシステム。
【請求項５】
前記付加識別情報は、少なくともサービス対象機器の類型、プロパティ、使用者名前、ベンダー、モデル名のいずれか一つ以上を含むことを特徴とする請求項４に記載のホームネットワークでサービスが提供されるシステム。
【請求項６】
前記サービスは、一定周期ごとに反復してサービス対象機器に特定サービスを提供するプッシュサービスであることを特徴とする請求項４に記載のホームネットワークでサービスが提供されるシステム。
【請求項７】
複数個の機器が連結されているホームネットワークとインターネットを通じて連結されたサービス提供サーバーが前記ホームネットワーク内の特定機器にサービスを提供する方法において、
前記サービス提供サーバーは、サービスが提供されるために登録されたホームネットワークのアドレス情報とそのホームネットワーク内の同じサービスが提供されるための同一機種の機器に共通で使用する付加識別情報を保存する段階；
サービスを提供する前に前記サービス対象機器等の受信可能状態を確認するために前記サービス対象機器が属されたホームネットワークのアドレス情報とサービス対象機器に共通で使用する前記付加識別情報を含み、前記同一機種の機器のサービス対象機器等のプライベートＩＰアドレスは含まない通知メッセージを伝送する段階；及び
前記サービス対象機器がサービスを受信できるという応答信号が受信された場合該当サービスを提供する段階；
を含むことを特徴とするホームネットワーク内の機器にサービスを提供する方法。
【請求項８】
前記付加識別情報は、少なくともサービス対象機器の類型、プロパティ、使用者名前、ベンダー、モデル名のいずれか一つ以上を含むことを特徴とする請求項７に記載のホームネットワーク内の機器にサービスを提供する方法。
【請求項９】
前記サービスは、一定周期ごとに反復してサービス対象機器に特定サービスを提供するプッシュサービスであることを特徴とする請求項７に記載のホームネットワーク内の機器にサービスを提供する方法。
【請求項１０】
複数個の機器が連結されているホームネットワークで、その機器を管理するルックアップサーバーが前記ホームネットワークの外部にあるサービス提供サーバーからサービスが提供される方法において、
前記ルックアップサーバーは、前記ホームネットワーク内の機器の中から前記サービス提供サーバーに登録されている付加識別情報に対応される機器等のＩＤとプライベートＩＰアドレスを保存する段階；
前記サービス提供サーバーからサービス対象機器等の受信可能状態を確認するためにそのホームネットワーク内の同じサービスが提供されるための同一機種の機器等に共通で使用する付加識別情報を含み、前記同一機種のサービス対象機器等のプライベートＩＰアドレスは含まない通知メッセージを受信すれば、前記通知メッセージに含まれている付加識別情報に該当する機器があるか判断する段階；及び
前記通知メッセージに含まれている付加識別情報に該当する機器がある場合、該当機器等のＩＤをＩＰアドレスに変換して前記通知メッセージを伝送する段階；
を含むことを特徴とするホームネットワークでサービスが提供される方法。
【請求項１１】
前記付加識別情報は、少なくともサービス対象機器の類型、プロパティ、使用者名前、ベンダー、モデル名のいずれか一つ以上を含むことを特徴とする請求項１０に記載のホームネットワークでサービスが提供される方法。
【請求項１２】
前記サービスは、一定周期ごとに反復してサービス対象機器に特定サービスを提供するプッシュサービスのことを特徴とする請求項１０に記載のホームネットワークでサービスが提供される方法。
【請求項１３】
複数個の機器が連結されているホームネットワークにサービスを提供するシステムにおいて、
サービスが提供されるために登録されたホームネットワークのアドレス情報とそのホームネットワーク内の同じサービスが提供されるための同一機種のサービス対象機器等に共通で使用する付加識別情報を保存しており、サービスを提供する前に前記サービス対象機器等の受信可能状態を確認するために前記サービス対象機器が属されたホームネットワークのアドレス情報とサービス対象機器に共通で使用する前記付加識別情報を含み、前記同一機種のサービス対象機器等のプライベートＩＰアドレスは含まない通知メッセージを伝送するサービス提供サーバー；及び
前記ホームネットワーク内の機器の中から前記サービス提供サーバーに登録されている付加識別情報に対応される機器のＩＤとプライベートＩＰアドレスを保存しており、前記サービス提供サーバーから通知メッセージを受信すれば、前記通知メッセージに含まれている付加識別情報に該当する機器があるか判断して、該当する機器があれば、前記機器等のＩＤをＩＰアドレスに変換して通知メッセージを伝送するホームネットワーク内のルックアップサーバー；を含んで、
前記サービス提供サーバーは、前記サービス対象機器からサービスを受信できるという応答信号が受信された場合サービスを提供することを特徴とするホームネットワークにサービスを提供するシステム。
【発明の詳細な説明】
【０００１】
【発明の属する技術分野】
本発明は、インターネット上でのサービス提供方法に関するものであり、詳細には、サービスを受けるために登録した機器の情報に基づいてサービスを送受信するホームネットワーク内の機器にサービスを提供するシステムとその方法及びホームネットワークでサービスが提供されるシステムとその方法に関するものである。
【０００２】
【従来の技術】
最近、通信機術の発達によって、ＳＯＨＯ(small office home office)または家でコンピュータ、ＦＡＸ、モデム、電話機などのいろいろな情報通信機器がネットワークでお互い連結して使われている。ここで、家庭だけでなくＳＯＨＯに構築されたネットワークを説明の便宜上ホームネットワークと称する。
【０００３】
また、このようなホームネットワーク内の機器は、インターネットを通じてオンライン上でのサービスが提供できる。このために、ホームネットワーク内の機器はオンラインまたはオフラインを通じ外部サービス提供サーバーに加入または脱退できる。
【０００４】
すると、サービス提供サーバーは、登録された機器についての情報（ホーム識別子及び機器識別子）に基づいて登録可否を管理して、登録された機器にだけサービスを提供する。ただ、ホーム内の機器識別子は重複して使用できない。
【０００５】
ところが、このような方式は、サービス提供サーバーがホームネットワークの機器単位で登録可否を処理して、サービスを提供しなければならないために、同じサービス提供対象機器が増加される場合の管理及びサービス処理負担が加重される問題点がある。
【０００６】
一方、サービスを受けようとする立場では、ホームネットワークの既存の機器と同種のサービスを受ける機器を追加で設置する場合、その都度いちいちサービス提供サーバーに追加機器を登録しなければならない不便さがあった。
【０００７】
このような不便さは同種のサービスを受けている機器のうち一部が除去される場合にも同様に発生する。
一方、サービス提供サーバーは、登録された機器をＩＤで管理するもので、ハッカーのように悪意をもってＩＤを盗用しようとする者に機器のＩＤが容易に盗まれ、セキュリティの面でも問題があった。
【０００８】
【発明が解決しようとする問題】
前記の問題点を解決するために、ホームネットワークに同種のサービスを必要とする機器の追加または減少にともなう管理負担を抑制させることができて、サービスが提供されるための手順を簡素化できるホームネットワーク内の機器にサービスを提供するシステムとその方法及びホームネットワークでサービスが提供されるシステムとその方法を提供することである。
【０００９】
【課題を解決するための手段】
前記目的を達成するために、複数個の機器が連結されているホームネットワークとインターネットを通じて連結して前記ホームネットワーク内の特定機器にサービスを提供するシステムにおいて、サービスが提供されるために登録されたホームネットワークのアドレス情報とそのホームネットワーク内のサービス対象機器等の情報を保存している第１データベースを具備して、サービスを提供する前に前記サービス対象機器等の受信可能状態を確認するために前記サービス対象機器が属されたホームネットワークのアドレス情報とサービス対象機器の付加識別情報を含む通知メッセージを伝送して、前記サービス対象機器がサービスを受信できるという応答信号が受信された場合、サービスを提供することを特徴とするホームネットワーク内の機器にサービスを提供するシステムが提供される。
【００１０】
前記付加識別情報は、同じサービスが提供されるための同一機種の機器に共通で使用することが好ましい。
【００１１】
また、前記付加識別情報は、少なくともサービス対象機器の類型(type)、プロパティ(property)、使用者名前(user name)、ベンダー(vendor)、モデル名(model name)、シリアルナンバー(serial number)のいずれか一つ以上を含む。
【００１２】
そして、前記サービスは、一定周期ごとに反復してサービス対象機器に特定サービスを提供するプッシュサービスのことが好ましい。
【００１３】
そして、前記他の目的を達成するために、複数個の機器が連結されているホームネットワークの機器を管理して、前記ホームネットワークの外部にあるサービス提供サーバーからサービスが提供されるシステムにおいて、前記ホームネットワーク内の機器の中から前記サービス提供サーバーに登録されている付加識別情報に対応される機器等のＩＤとプレイベート(private)ＩＰアドレスを保存した第２データベースを具備して、前記サービス提供サーバーからサービス対象機器等の受信可能状態を確認するためにサービス対象機器等の付加識別情報を含む通知メッセージを受信すれば、前記通知メッセージに含まれている付加識別情報に該当する機器があるか判断して、該当する機器があれば、前記機器等のＩＤをＩＰアドレスに変換して通知メッセージを伝送することを特徴とするホームネットワークでサービスが提供されるシステムが提供される。
【００１４】
また、前記また他の目的を達成するために、複数個の機器が連結されているホームネットワークとインターネットを通じて連結したサービス提供サーバーが前記ホームネットワーク内の特定機器にサービスを提供する方法において、前記サービス提供サーバーは、サービスが提供されるために登録されたホームネットワークのアドレス情報とそのホームネットワーク内のサービス対象機器等の付加識別情報を保存する段階；サービスを提供する前に前記サービス対象機器等の受信可能状態を確認するために前記サービス対象機器が属されたホームネットワークのアドレス情報とサービス対象機器の付加識別情報を含む通知メッセージを伝送する段階；及び前記サービス対象機器がサービスを受信できるという応答信号が受信された場合該当サービスを提供する段階；を含むことを特徴とするホームネットワーク内の機器にサービスを提供する方法が提供される。
【００１５】
また、前記また他の目的を達成するために、複数個の機器が連結されているホームネットワークでその機器を管理するルックアップサーバーが前記ホームネットワークの外部にあるサービス提供サーバーからサービスが提供される方法において、前記ルックアップサーバーは前記ホームネットワーク内の機器の中から前記サービス提供サーバーに登録されている付加識別情報に対応される機器等のＩＤとプレイベートＩＰアドレスを保存する段階；前記サービス提供サーバーからサービス対象機器等の受信可能状態を確認するためにサービス対象機器等の付加識別情報を含む通知メッセージを受信すると、前記通知メッセージに含まれている付加識別情報に該当する機器があるか判断する段階；及び前記通知メッセージに含まれている付加識別情報に該当する機器がある場合、該当機器等のＩＤをＩＰアドレスに変換して前記通知メッセージを伝送する段階；を含むことを特徴とするホームネットワークでサービスが提供される方法が提供される。
【００１６】
また、前記また他の目的を達成するために、複数個の機器が連結されているホームネットワークにサービスを提供するシステムにおいて、サービスを提供されるために登録されたホームネットワークのアドレス情報とそのホームネットワーク内のサービス対象機器等の情報を保存しており、サービスを提供する前に前記サービス対象機器等の受信可能状態を確認するために前記サービス対象機器が属されたホームネットワークのアドレス情報とサービス対象機器の付加識別情報を含む通知メッセージを伝送するサービス提供サーバー；及び前記ホームネットワーク内の機器の中から前記サービス提供サーバーに登録されている付加識別情報に対応される機器等のＩＤとプレイベートＩＰアドレスを保存しており、前記サービス提供サーバーから通知メッセージを受信すれば、前記通知メッセージに含まれている付加識別情報に該当する機器があるか判断して、該当する機器があれば、前記機器等のＩＤをＩＰアドレスに変換して通知メッセージを伝送するホームネットワーク内のルックアップサーバー；を含んで、前記サービス提供サーバーは、前記サービス対象機器からサービスを受信できるという応答信号が受信された場合サービスを提供することを特徴とするホームネットワークにサービスを提供するシステムが提供される。
【００１７】
【発明の実施の形態】
本発明の上述した目的及び特徴は、添付図面を参照して本発明の好ましい実施形態を詳細に説明することによってより明白になることである。
【００１８】
以下、添付された図面を参照しながら本発明の好ましい実施形態に係るホームネットワーク内の機器にサービスを提供するシステム及びその方法をより詳細に説明する。
【００１９】
図１は、本発明の好ましい実施形態に係るホームネットワーク内の機器にサービスを提供するシステムの構成図である。
【００２０】
図示されたように、サービス提供サーバー（ＲＳ）、インターネット接続提供サーバー（ＳＲ）及びいくつかのホームネットワーク（１〜ｎ）がインターネット（１０）を通じ相互連結されている。ホームネットワークは複数個の機器（ＬＤ１、ＬＤ２、…、ＬＤｎ）とルックアップサーバー（ＬＳ）を含む。
【００２１】
サービス提供サーバー(Remote Server)（ＲＳ）はホームネットワークの外部に存在して、インターネット上でサービスを提供する。特に、サービス提供サーバー（ＲＳ）はサービスを受けるために登録したホームネットワークにサービスを提供する。
【００２２】
特に、サービス提供サーバー（ＲＳ）は、プッシュサービスを提供する。プッシュサービスとは、利用者の要請がある時にサービスを提供する一般的なサービスと違って、プッシュサービスを受けようと登録した特定機器に所定周期ごとにサービスを提供することである。
【００２３】
プッシュサービスの例には、周期的に提供される“今日の運勢”、“株式情報”、“天気”、“スポーツイベント”などのような情報提供サービスがある。
【００２４】
また、一定の時間になれば電灯をつけることのように特定機器の動作を制御するサービスもある。
【００２５】
サービス提供サーバー（ＲＳ）は、サービス対象になるホームネットワークがサービスを受信できる状態なのかを確認するためにサービスが提供されるとする通知メッセージ(notify message)をサービス対象ホームネットワークに伝送する。
【００２６】
サービス提供サーバー（ＲＳ）は、サービスを受けることに登録したホームネットワークに通知メッセージを一定期間の間周期的に反復して転送することが好ましい。
【００２７】
通知メッセージは、サービスを受けるために登録したホームネットワークのＩＤとホームネットワーク内のサービス対象機器の類型、プロパティ、使用者名前、ベンダー、モデル名、シリアルナンバーなどのように機器と関連した情報中からあらかじめ約束されたいずれか一つ以上の付加識別情報を含んでいる。好ましくは、付加識別情報は同一機種の機器に共通で使用する情報を利用する。通知メッセージは、例えば、アジャスタブルタグ(adjustable tag)を有するＸＭＬ形態に作成されることが好ましい。
【００２８】
そして、通知メッセージが伝送されたホームネットワークでサービスを受けることができるという内容の“サービス可能メッセージ”が受信された場合、サービスを提供する。
【００２９】
一方、インターネット接続提供サーバー（ＳＲ）は、ホームネットワークにグローバルＩＰアドレス(global IP address)を割り当てて、ホームネットワークのＩＤ（例えば、ＵＲＬ）及びホームネットワークに割当されたグローバルＩＰアドレスを保存する。
【００３０】
インターネット接続サービス提供サーバー（ＳＲ）は、サービス提供サーバー（ＲＳ）から通知メッセージを受信すれば、通知メッセージに記録されているホームネットワークが登録されたホームネットワークなのかを確認する。
【００３１】
そして、登録されたホームネットワークならば、通知メッセージのホームＩＤを該当ＩＰアドレスに変換して伝送する。
ホームネットワークのルックアップサーバー（ＬＳ）は、インターネット接続サービス提供サーバー（ＳＲ）から通知メッセージを受信する。
【００３２】
ルックアップサーバー（ＬＳ）は、図２のようなデータベースを具備している。
【００３３】
ルックアップサーバー（ＬＳ）のデータベースは、ホームネットワーク（１）に連結されている機器に対しサービス提供サーバー（ＲＳ）と約束された付加識別情報を含む関連情報、例えば、その機器等のＩＤ、その機器に割当されたプレイベートＩＰアドレス、類型、プロパティ、使用者名前、ベンダー、モデル名、シリアルナンバーなどの情報を保存して管理する。このような登録テーブルはホームネットワークの構成が変わる時に更新される。
【００３４】
また、ルックアップサーバー（ＬＳ）は、インターネット接続提供サーバー（ＳＲ）にホームネットワークのＩＤ及びホームネットワークに現在割当されている共用ＩＰアドレスを登録してホームネットワークと外部との通信が可能にする。
【００３５】
ルックアップサーバー（ＬＳ）は、受信された通知メッセージに記録されている付加識別情報に対応される機器があるかデータベースを検索する。
【００３６】
そして、通知メッセージに記録されている付加識別情報に対応される機器があれば、該当機器等のプレイベートＩＰアドレスに通知メッセージを伝送する。この時、該当機器は一個またはいくつかありうる。
【００３７】
あとは、このようなホームネットワーク内の機器にサービスを提供する方法に対し説明する。
【００３８】
図３は、本発明の好ましい実施形態に係るホームネットワークにサービスを提供する方法の信号流れ図である。
【００３９】
ここで、サービス提供サーバー（ＲＳ）は、最新演芸街ニュースとスポーツニュースを周期的に提供するサーバーで、サービスを受けるために登録したホームのＩＤがＳａｍｓｕｎｇ１で、サービス対象機器は１２８０ｘ７２０ｐの解像度を有するコンピュータの場合を例で挙げる。
【００４０】
サービス提供サーバー（ＲＳ）は、サービスを提供する前に、サービス対象機器の付加識別情報に対応される機器が属するたホームネットワークのＩＤを記録している通知メッセージをインターネット接続提供サーバー（ＳＲ）に転送する（段階４０２）。
【００４１】
この場合、通知メッセージは次の通りである。
<NOTIFY>
<Home Id>Samsung1</Home Id>
<Ld_type name=“Computer”>
<Property name=“Resolution”>1280x720p</property>
</Ld_type>
</NOTIFY>
【００４２】
その次に、インターネット接続提供サーバー（ＳＲ）は、サービス提供サーバー（ＲＳ）が伝送した通知メッセージを受信して、受信した通知メッセージに指定されたホームがインターネット接続提供サーバー（ＳＲ）に登録されたホームなのか確認する（段階４０４）。
【００４３】
仮りに、受信した通知メッセージに指定されたホームがインターネット接続提供サーバー（ＳＲ）に登録されたホームでなければ、“サービス不可”応答メッセージを伝送する（段階４０６）。
【００４４】
段階４０４で、登録されたホームネットワークであると判断されれば、インターネット接続提供サーバー（ＳＲ）は、通知メッセージに指定されたホームネットワークのＩＤを該当ホームのＩＰアドレスに変換して（段階４０８）、サービス対象機器の類型とプロパティ情報とその機器が属されたホームのＩＰアドレスを含んでいる通知メッセージを該当ホームに伝送する（段階４１０）。
【００４５】
この場合、通知メッセージは次の通りである。
<NOTIFY>
<Home IP address>111.222.333.444</Home IP address>
<Ld_type name=“Computer”>
<Property name=“Resolution”>1280x720p</property>
</Ld_type>
</NOTIFY>
【００４６】
すると、ホームネットワークのルックアップサーバー（ＬＳ）は、インターネット接続提供サーバー（ＳＲ）が伝送した通知メッセージを受信して、受信した通知メッセージに指定された機器の付加識別情報に基づいてその機器がルックアップサーバー（ＬＳ）に登録された機器なのか確認する（段階４１２）。
【００４７】
仮りに、受信した通知メッセージに含まれた付加識別情報に対応される機器がルックアップサーバー（ＬＳ）に登録されていないと、“サービス不可”応答メッセージをサービス提供サーバー（ＲＳ）に転送する（段階４１４）。
【００４８】
受信した通知メッセージに含まれた付加識別情報に対応される機器がルックアップサーバー（ＬＳ）に登録されていれば、付加識別情報に該当する機器のＩＤを求めて、そのＩＤに該当するプレイベートＩＰアドレスを求める（段階４１６）。
【００４９】
仮りに、機器の付加識別情報に該当する機器が２台で、それぞれのＩＤがＰＣ１、ＰＣ２の場合、ＩＤがＰＣ１、ＰＣ２の機器のプレイベートＩＰアドレスをデータベースを通じて得る。そして、サービス対象機器等のプレイベートＩＰアドレスに通知メッセージを伝送する（段階４１８）。
【００５０】
この場合、通知メッセージは次の通りである。
<NOTIFY>
<Home_IP address>111.222.333.444</Home_IP address>
<Ld_IP address>xxx.xxx.xxx.xxx</Ld_IP address>
<Ld_IP address>yyy.yyy.yyy.yyy</Ld_IP address>
</NOTIFY>
【００５１】
ここで、xxx.xxx.xxx.xxxは、ＰＣ１のＩＰアドレスで、yyy.yyy.yyy.yyyは、ＰＣ２のＩＰアドレスである。
【００５２】
すると、通知メッセージを受信されたサービス対象機器（すなわち、ＰＣ１、ＰＣ２）はサービス準備プログラムを駆動して（段階４２０）、サービスを提供する準備が完了したという応答メッセージ(Result=SUCCESS、Reason=SERVICE_READY)をサービス提供サーバー（ＲＳ）に伝送する（段階４２２）。
【００５３】
すると、サービス提供サーバー（ＲＳ）は、サービス対象機器に該当サービスを提供する（段階４２４）。本明細書では、サービスサーバーとサービスクライアント（宅内に存在）との間にサービスを提供するためのアルゴリズムについては言及していない。すなわち、多様な見解にサービスクライアントが応答をするようになる時、サービスサーバーがどの時点でサービスを開始するかに対する問題については言及していない。
【００５４】
本発明は、上述した実施形態に限定してはならず、本発明の思想を害しない範囲内で当業者による変形が可能であることはもちろんである。したがって、本発明で権利を請求する範囲は、詳細な説明の範囲によって決まるものでなく、特許請求の範囲によって定めるべきものである。
【００５５】
【発明の効果】
このようなホームネットワーク内の機器にサービスを提供するシステム及びその方法によれば、サービスを提供するシステムはホームネットワーク単位で登録された同種機器に対しては相互区別のための情報を別途に管理しなくなることで管理負担が軽減される。
【００５６】
また、サービス加入者は、登録された機器と類似の機器が追加されて同じサービスを受けようとする場合に追加でサービス提供サーバーに登録する必要がないので便利である。
【００５７】
そして、サービス登録時発生された機器のＩＤによって、機器の情報が流出されることが防止されるので、セキュリティが維持される。
【図面の簡単な説明】
【図１】  本発明の好ましい実施形態に係るホームネットワーク内の機器にサービスを提供するシステムの構成図である。
【図２】  図１のルックアップサーバーが備わったデータベースの一例を示す図面である。
【図３】  本発明の好ましい実施形態に係るホームネットワークにサービスを提供する方法の信号流れ図である。
【符号の説明】
１０  インターネット
ＳＲ  インターネット接続提供サーバー
【図１】
0004261111.tif 000002
【図２】
0004261111.tif 000003
【図３】
0004261111.tif 000004